(57)【要約】【課題】磁気ネックレス等の連続した磁石を利用して極めて簡単な操作で長さ調整が可能になる磁気装身具を提供する。【解決手段】磁石１１を備えた装飾体１０を紐状部材２０に連設する。この装飾体１０の磁石１１に磁着する連結具３０を設ける。磁気装身具の一端部を挿通せしめる挿通孔３１を連結具３０に形成する。該挿通孔３１内の装飾体１０に磁着する固定用磁石３２を連結具３０に配置する。連結具３０に、磁気装身具の他端部を挿入する挿入口３３を形成する。挿入口３３に挿入した装飾体１０を固定用磁石３２で磁着する。固定用磁石３２の磁力を高めるように構成する。【選択図】  図２
2018175469.tif 000002
【特許請求の範囲】
【請求項１】
磁石を備えた装飾体が紐状部材に連設され、装飾体の磁石に磁着する連結具にて連結位置を調整するように構成した磁気装身具であって、
連結具は、磁気装身具の一端部に配置された装飾体から順次装飾体を挿通せしめる挿通孔と、該挿通孔内の装飾体に磁着して固定する固定用磁石と、磁気装身具の他端部に配置された装飾体を挿入する挿入口とを備え、
該挿入口に挿入した装飾体を連結具内の固定用磁石に磁着して固定すると共に、この固定された装飾体の磁石により固定用磁石の磁力を高めて挿通孔内の装飾体の固定力を高めるように構成したことを特徴とする磁気装身具。
【請求項２】
前記紐状部材の一端部に位置する前記装飾体に嵌合凹部を形成した凹状装飾体を配置すると共に、前記紐状部材の他端部に位置する前記装飾体に嵌合凸部を形成した凸状装飾体を配置し、これら凹状装飾体と凸状装飾体とが嵌合して着脱自在に磁着すると共に、凸状装飾体が前記連結具の前記挿入口に嵌合して前記固定用磁石に着脱自在に磁着するように構成した請求項１記載の磁気装身具。
【請求項３】
前記凹状装飾体の前記嵌合凹部内に嵌合する終端磁石を備えた終端部材が設けられ、前記連結具の前記挿通孔に挿通した前記磁気装身具の端部に配置された前記凹状装飾体に終端部材を固定するように構成した請求項２記載の磁気装身具。
【請求項４】
前記装飾体は、紐状部材を貫通せしめる貫通孔を有する前記磁石備え、該貫通孔の一端側をＮ極とし貫通孔の他端側をＳ極とし、隣接する装飾体の相対向した磁石の磁極が同極になるように配置して紐状部材に連設された請求項１記載の磁気装身具。
【発明の詳細な説明】
【技術分野】
【０００１】
本発明は、永久磁石を連設したネックレスやブレスレット等の装身具の長さを簡単に調整することができる磁気装身具に関するものである。
【背景技術】
【０００２】
永久磁石体を連設した磁気ネックレスが特許文献１に記載されている。この磁気ネックレスは、永久磁石を収納したカプセルを連設するものである。すなわち、多数の楕円形カプセルと多数の球形カプセルとが隣り合い、紐状部材に交互に連設されている。更に、磁気ネックレスの両端には抜きカンが各々取り付けられ、一方の抜きカンには留め具フックが取り付けられ、他方の抜きカンには留め具プレートが取り付けられている。そして、磁気ネックレスを首に巻きつけた後に、留め具フックを留め具プレートに係合させる構成である。
【０００３】
一方、真珠等の玉を多数連設するネックレスの長さ調節を可能にしたものが特許文献２に記載されている。このネックレスは、ネックレスの一端に開閉自在なフックを設け、このフックを、ネックレスの任意の位置の玉間のくびれ部に着脱自在に接続するようにしたものである。特に、このフックを開閉可能に連結された一対の半環状部材で構成し、各半環状部材の開放側先端にそれぞれ相互に吸着し合う永久磁石を取り付けることで、半環状部材のフック部が開閉自在に磁着するように構成したものである。
【先行技術文献】
【特許文献】
【０００４】
【特許文献１】特許第４３７７６５３号公報
【特許文献２】特許第４０２７３９１号公報
【発明の開示】
【発明が解決しようとする課題】
【０００５】
特許文献１のように、磁気ネックレスの両端に留め具を取付けた構成では、各永久磁石が近くの永久磁石に磁着することはあっても、磁気ネックレスの長さを自由に調整することはできない。
【０００６】
一方、特許文献２に記載されている環状のフックは、特に、真珠等の玉の径よりも環状のフックが小さい内径になるように形成されている。そのため、開閉自在なフックの解放端に磁石を取り付けた構成では、小さな環状のフックを指先で開く操作が難しい操作にならざるを得ない。
【０００７】
すなわち、使用者は、小さな径の環状のフックを指先で開き、大きな径の真珠等の隙間に係止する操作になる。この際、環状フックに指先を掛け、磁着している磁石を両手で外す際に指先に大きな力が必要になる。仮に、この磁着力を弱くしてフックの解放端が簡単に開くように構成すると、使用時にフックが外れる可能性が高まることになる。
【０００８】
そこで本発明は上述の課題を解消したもので、磁気ネックレス等の連続した磁石を利用して極めて簡単な操作で長さ調整が可能になる磁気装身具の提供を目的とするものである。
【課題を解決するための手段】
【０００９】
上述の目的を達成すべく本発明の第１の手段は、磁石１１を備えた装飾体１０が紐状部材２０に連設され、装飾体１０の磁石１１に磁着する連結具３０にて連結位置を調整するように構成した磁気装身具であって、連結具３０は、磁気装身具の一端部に配置された装飾体１０から順次装飾体１０を挿通せしめる挿通孔３１と、該挿通孔３１内の装飾体１０に磁着して固定する固定用磁石３２と、磁気装身具の他端部に配置された装飾体１０を挿入する挿入口３３とを備え、該挿入口３３に挿入した装飾体１０を連結具３０内の固定用磁石３２に磁着して固定すると共に、この固定された装飾体１０の磁石１１により固定用磁石３２の磁力を高めて挿通孔３１内の装飾体１０の固定力を高めるように構成したことにある。
【００１０】
第２の手段は、前記紐状部材２０の一端部に位置する装飾体１０に嵌合凹部１４Ａを形成した凹状装飾体１４を配置すると共に、前記紐状部材２０の他端部に位置する装飾体１０に嵌合凸部１５Ａを形成した凸状装飾体１５を配置し、これら凹状装飾体１４と凸状装飾体１５とが嵌合して着脱自在に磁着すると共に、凸状装飾体１５が前記連結具３０の前記挿入口３３に嵌合して前記固定用磁石３２に着脱自在に磁着するように構成したものである。
【００１１】
第３の手段は、前記前記凹状装飾体１４の前記嵌合凹部１４Ａ内に嵌合して磁着する終端磁石４１を備えた終端部材４０が設けられ、前記連結具３０の前記挿通孔３１に挿通した前記磁気装身具の端部に配された前記凹状装飾体１４に終端部材４０を固定するように構成している。
【００１２】
第４の手段における前記装飾体１０は、紐状部材２０を貫通せしめる貫通孔１１Ａを有する前記磁石１１備え、該貫通孔１１Ａの一端側をＮ極とし貫通孔１１Ａの他端側をＳ極とし、隣接する装飾体１０の相対向した磁石１１の磁極が同極になるように配置して紐状部材２０に連設されたものである。
【発明の効果】
【００１３】
本発明の請求項１によると、連結具３０は、磁気装身具の一端部に配置された装飾体１０から順次装飾体１０を挿通せしめる挿通孔３１と、該挿通孔３１内の装飾体１０に磁着して固定する固定用磁石３２と、磁気装身具の他端部に配置された装飾体１０を挿入する挿入口３３とを備え、該挿入口３３に挿入した装飾体１０を連結具３０内の固定用磁石３２に磁着して固定すると共に、この固定された装飾体１０の磁石１１により固定用磁石３２の磁力を高めて挿通孔３１内の装飾体１０の固定力を高めるように構成したことにより、磁気ネックレス等の連続した磁石を利用して極めて簡単な操作で長さ調整が可能になった。
【００１４】
すなわち、使用者は、連結具３０の挿通孔３１に磁気装身具に連設された装飾体１０を挿通することで、連結具３０の位置を自由に調整することができる。このとき、固定用磁石３２の磁力によって装飾体１０の磁石１１が磁着し、あるいは反発する作用が挿通孔３１内で交互に発生する。したがって、連結具３０の位置を固定できるのは、固定用磁石３２に磁着する極性を持った磁石１１が挿通孔３１内に挿入された位置になる。
【００１５】
更に、この状態で連結具３０の挿入口３３に、磁気装身具の他端部に配置された装飾体１０を挿入すると、装飾体１０の磁石１１が固定用磁石３２に磁着して磁気装身具の他端部が固定される。この固定と共に、固定用磁石３２の磁力が増大するので、挿通孔３１内に固定した装飾体１０の固定力が高まるものである。このように、連結具３０の挿入口３３に磁気装身具の他端部に設けられた装飾体１０を挿入し、あるいは抜き取るといった簡単な操作で、連結具３０の位置調整を自在に行うことができるものである。
【００１６】
請求項２のごとく、紐状部材２０の一端部に位置する装飾体１０に嵌合凹部１４Ａを形成した凹状装飾体１４を配置すると共に、紐状部材２０の他端部に位置する装飾体１０に嵌合凸部１５Ａを形成した凸状装飾体１５を配置し、これら凹状装飾体１４と凸状装飾体１５とが嵌合して着脱自在に磁着すると共に、凸状装飾体１５が連結具３０の挿入口３３に嵌合して固定用磁石３２に着脱自在に磁着するように構成したことで、本発明磁気装身具における各連結端部の連結力を高めることができる。
【００１７】
しかも、凹状装飾体１４と凸状装飾体１５とを直接連結することで、仮に連結具３０を使用しない場合でも本発明磁気装身具をループ状に連結して使用することが可能になる。
【００１８】
請求項３のように、凹状装飾体１４の嵌合凹部１４Ａ内に嵌合して磁着する終端磁石４１を備えた終端部材４０が設けられ、連結具３０の挿通孔３１に挿通した磁気装身具の端部に配された凹状装飾体１４に終端部材４０を固定するように構成しているので、終端部材４０による装飾効果を得ることができる。
【００１９】
請求項４のごとく、装飾体１０は、紐状部材２０を貫通せしめる貫通孔１１Ａを有する磁石１１備え、該貫通孔１１Ａの一端側をＮ極とし貫通孔１１Ａの他端側をＳ極とし、隣接する装飾体１０の相対向した磁石１１の磁極が同極になるように配置しているので、複数の装飾体１０に紐状部材２０を挿通すると、隣接する装飾体１０の磁石１１の反発力にて装飾体１０が一定間隔に並んだ状態になる。
【００２０】
したがって、各装飾体１０相互間に間隔を調整する部材を配置しなくても各装飾体１０を等間隔に並べることができる。しかも、連結具３０に固定した装飾体１０の位置から装飾体１０が等間隔に並ぶので、使用者は装飾体１０の均等な配置状態に気を使う必要はなくなる。
【００２１】
このように、本発明によると、磁気ネックレス等の連続した磁石を利用して極めて簡単な操作で長さ調整が可能になるなどといった当初の目的を達成した。
【図面の簡単な説明】
【００２２】
【図１】本発明の連結具による長さ調節状態を示す正面図である。
【図２】本発明の連結具による固定状態を示す概略断面図である。
【図３】本発明の装飾体の一実施例を断面図である。
【図４】本発明の連結具の使用例を示す分解斜視図である。
【図５】本発明の終端部材を連結した状態の要部断面図である。
【図６】本発明の他の連結状態を示す正面図である。
【図７】本発明の他の連結状態を示す要部断面図である。
【発明を実施するための形態】
【００２３】
以下、本発明の実施例を説明する。本発明は複数個の装飾体１０が紐状部材２０に連設された磁気装身具に関するものである（図１参照）。本発明において、装身具とは、ネックレス、ブレスレット、アンクレット、指輪、イヤリング、ピアスを含むもので、本発明の装飾体１０は、磁石１１を備えたものである。
【００２４】
図示の装飾体１０は、磁石１１とこの磁石１１を被覆するカバー部１２とで構成している（図３参照）。そして、この磁石１１に、紐状部材２０を貫通せしめる貫通孔１１Ａを形成している。更に、貫通孔１１Ａの一端側をＮ極とし貫通孔１１Ａの他端側をＳ極として配置し、隣接する装飾体１０の相対向した磁石１１の磁極が同極になるように紐状部材２０に連設される(図２参照)。
【００２５】
更に、紐状部材２０の一端部に位置する装飾体１０として、嵌合凹部１４Ａを形成した凹状装飾体１４を配置すると共に、紐状部材２０の他端部に位置する装飾体１０として、嵌合凸部１５Ａを形成した凸状装飾体１５を配置しても良い(図４参照)。
【００２６】
そして、これら凹状装飾体１４と凸状装飾体１５とが嵌合した状態で、着脱自在に磁着するように設けることで、磁着部分の固定力を高めることが可能になる。特に、凸状装飾体１５が連結具３０の挿入口３３に嵌合するように設けることで、挿入口３３との固定力を高めることができる(図２参照)。尚、このような凹状装飾体１４や凸状装飾体１５を用いずに、多数の装飾体１０と同じ形状の装飾体１０を紐状部材２０の各端部に配置することも可能である。
【００２７】
連結具３０は、装飾体１０の磁石１１に磁着する部材で、この連結具３０にて本発明磁気装身具の長さを調整する(図２参照)。この連結具３０には、挿通孔３１、固定用磁石３２、挿入口３３が設けられている。
【００２８】
挿通孔３１は、連設された装飾体１０を磁気装身具の一端部に配置された装飾体１０から順次装飾体１０を挿通せしめる部位で、この挿通孔３１に隣接するように固定用磁石３２を配置している。そして、挿通孔３１内に挿入した装飾体１０の磁石１１と、この固定用磁石３２とが磁着する位置で、装飾体１０が固定される(図２参照)。この状態で、挿通孔３１内の磁気装身具を強制的に引っ張ると、装飾体１０の磁石１１が磁着しあるいは反発する作用が、挿通孔３１内で交互に発生する。そのため、連結具３０の位置を固定できるのは、固定用磁石３２に磁着する極性を持った磁石１１が挿通孔３１内に挿入された状態の中の任意の位置になる。
【００２９】
一方、挿入口３３は、挿通孔３１の長手方向に対して直交する位置に形成された部位で、固定用磁石３２を介して形成している。この挿入口３３に、磁気装身具の他端部に配置された装飾体１０を挿入する(図２参照)。そうすると、装飾体１０の磁石１１が固定用磁石３２に磁着して磁気装身具の他端部が連結具３０に固定される。このとき、固定用磁石３２に磁着した磁石１１の作用によって固定用磁石３２の磁力が増大するので、挿通孔３１内に固定した装飾体１０の固定力が高まるものである。
【００３０】
すなわち、挿入口３３内に装飾体１０を挿入していない状態では、磁気装身具の長手方向に沿った連結具３０の移動が容易になるが、挿入口３３内に装飾体１０を挿入して固定用磁石３２と磁石１１とを磁着すると、固定用磁石３２の磁着力が高まって、連結具３０の移動が困難になるものである。このとき、挿入口３３内の磁石１１もまた、挿通孔３１内の磁石１１によって強力になった固定用磁石３２に強固に固定されることになる。
【００３１】
本発明において、装飾体１０で使用する磁石１１は、ネオジウム磁石を使用し、紐状部材２０が貫通する貫通孔１１Ａを開穿している（図３参照）。また、被覆体１２は、セラミックにて形成するもので、磁石１１の貫通孔１１Ａに沿った周側面を覆う被覆部材である。このセラミックとして、ジルコニウム系又はラジウム系のセラミックを使用すると高い強度と靱性を備え、宝飾品にも利用されていることから、被覆体１２として最適である。また被覆体１２の材質は任意に変更することができる。
【００３２】
図示例では、貫通孔１１Ａの開口端部側を保護する端部保護体１３を設けている(図３参照)。この端部保護体１３は、チタンや純金などの貴金属等を使用した環状部材で、隣接する装飾体１０相互を接合した場合に、この端部保護体１３相互が当接するように構成している。尚、この端部保護体１３を使用せず、被覆体１２のみで磁石１１の開口両端部の外周囲を保護することも可能である。また、端部保護体１３の有無や材質の変更は自由に選択することができる。
【００３３】
図示例では、紐状部材２０をスネークチェーンにて構成している（図３参照）。このスネークチェーンを使用することで、直進性に優れた紐状部材２０となる。したがって、装飾体１０の磁力の作用による変形等を防止し美しい円環状を保持する。また紐状部材２０の構成は図示例に限られるものではなく任意に変更することができる。
【００３４】
本発明磁気装身具の使用方法は、まず、連結具３０の挿通孔３１に装身具の一端に配置された装飾体１０から順次装飾体１０を挿入し、任意の位置の装飾体１０に連結具３０を固定する(図２参照)。次に、装身具の他端に配置された装飾体１０を挿入口３３に挿入して固定すると、挿通孔３１内の磁石１１と挿入口３３内の磁石１１とが固定用磁石３２に強力に磁着され、装身具の長さが調整されるものである(図１参照)。
【００３５】
このとき、挿通孔３１から出た装身具の一端に配置されている装飾体１０に、終端部材４０を磁着すると、装身具の装飾イメージを変えることが可能になる(図１参照)。図示の終端部材４０は、特に凹状装飾体１４の嵌合凹部１４Ａ内に嵌合する終端磁石４１を備えた部材である(図５参照)。
【００３６】
また、連結具３０を使用しない場合は、装身具の両端に配置している装飾体１０相互を磁着することで、ループ状に形成することができる(図６参照)。このとき、装身具の両端に配置している装飾体１０として、嵌合凹部１４Ａを備えた凹状装飾体１４と、嵌合凸部１５Ａを備えた凸状装飾体１５とを配置して嵌合することで、より強固な連結固定力を得ることができる(図７参照)。
【００３７】
尚、本発明は図示例に限られるものではなく、装飾体１０、紐状部材２０、連結具３０の各構成部材の寸法、材質、及び被装着物等は任意に変更することが可能である。
【符号の説明】
【００３８】
１０  装飾体
１１  磁石
１１Ａ  貫通孔
１２  被覆体
１３  端部保護体
１４  凹状装飾体
１５  凸状装飾体
２０  紐状部材
３０  連結具
３１  挿通孔
３２  固定用磁石
３３  挿入口
４０  終端部材
４１  終端磁石
【図１】
2018175469.tif 000003
【図２】
2018175469.tif 000004
【図３】
2018175469.tif 000005
【図４】
2018175469.tif 000006
【図５】
2018175469.tif 000007
【図６】
2018175469.tif 000008
【図７】
2018175469.tif 000009